(57)【要約】【課題】作動異常の回避と表示光像の視認性確保とを両立させる表示ユニットの提供。【解決手段】表示ユニット１は、表示前方へ向かって凸面状に湾曲している表示前面５００と、表示前方へ向かって凹面状に湾曲している表示背面５０１とを、表示パネル２０の表示前方に有する透光性の湾曲型外郭パネル５０と、表示パネル２０の側方スペースＳｓに露出して配置された駆動回路３０を保護するために、表示領域Ａｄを含む表示画面２００全域と表示背面５０１との間から、側方スペースＳｓと表示背面５０１との間に跨って配置されている透光性の保護体６０と、保護体６０と表示背面５０１との間に封止されて硬化されている透光性の光学接着材７０とを、備える。【選択図】図１
2018091761.tif 000002
【特許請求の範囲】
【請求項１】
平面状の表示画面（２００）に設定されている表示領域（Ａｄ）に表示光像（２）を形成する表示パネル（２０）と、
前記表示パネルの側方スペース（Ｓｓ）に露出して配置されており、前記表示パネルを駆動して前記表示光像を形成するための駆動回路（３０）と、
表示前方へ向かって凸面状に湾曲している表示前面（５００）と、表示前方へ向かって凹面状に湾曲している表示背面（５０１）とを、前記表示パネルの表示前方に有する透光性の湾曲型外郭パネル（５０）と、
前記駆動回路を保護するために、前記表示領域を含む前記表示画面全域と前記表示背面との間から、前記側方スペースと前記表示背面との間に跨って配置されている透光性の保護体（６０）と、
前記保護体と前記表示背面との間に封止されて硬化されている透光性の光学接着材（７０）とを、備える表示ユニット。
【請求項２】
平面状の表示画面（２００）に設定されている表示領域（Ａｄ）に表示光像（２）を形成する表示パネル（２０）と、
前記表示パネルの側方スペース（Ｓｓ）と連通する前記表示パネルの後方スペース（Ｓｂ）に露出して配置されており、前記表示パネルを透過照明して前記表示光像を発光させるバックライト（４０）と、
表示前方へ向かって凸面状に湾曲している表示前面（５００）と、表示前方へ向かって凹面状に湾曲している表示背面（５０１）とを、前記表示パネルの表示前方に有する透光性の湾曲型外郭パネル（５０）と、
前記バックライトを保護するために、前記表示領域を含む前記表示画面全域と前記表示背面との間から、前記側方スペースと前記表示背面との間に跨って配置されている透光性の保護体（６０）と、
前記保護体と前記表示背面との間に封止されて硬化されている透光性の光学接着材（７０）とを、備える表示ユニット。
【請求項３】
前記保護体は、前記側方スペースの表示前方にて前記表示背面に面接触している請求項１又は２に記載の表示ユニット。
【請求項４】
前記保護体は、
前記表示領域を含む前記表示画面全域の表示前方から前記側方スペースの表示前方に跨る範囲にて、前記表示背面との間に前記光学接着材を挟んでいる光学面部（６０４）と、
前記光学面部の外側に隣接しており、前記側方スペースの表示前方にて前記表示背面に面接触している接触面部（６０５）とを、形成している請求項３に記載の表示ユニット。
【請求項５】
前記保護体は、前記表示前面へのタッチ操作を感知するタッチセンサとして機能する請求項１〜４のいずれか一項に記載の表示ユニット。
【発明の詳細な説明】
【技術分野】
【０００１】
本発明は、表示ユニットに関する。
【背景技術】
【０００２】
従来、表示画面に表示光像を形成する表示パネルに対し、その表示前方に例えばタッチパネル又は加飾パネル等の外郭パネルを配置した表示ユニットは、広く知られている。
【０００３】
このような表示ユニットの一種として特許文献１の開示ユニットでは、表示画面を平面状に形成した表示パネルと、表示前面及び表示背面を平面状に形成した外郭パネルとが、組み合わされている。ここで特許文献１の開示ユニットでは、表示パネルにおける平面状の表示画面と外郭パネルにおける平面状の表示背面との間にて、透光性の光学接着材が封止状態で硬化されている。これにより、表示パネルの表示画面に形成された表示光像は、空気層を通さずに光学接着材を通して外郭パネルへと入射することで、外郭パネルの表示背面等での反射を抑制されるため、ユーザによる当該表示光像の視認性が確保されることとなる。
【先行技術文献】
【特許文献】
【０００４】
【特許文献１】特開２０１６−１６４６３３号公報
【発明の概要】
【発明が解決しようとする課題】
【０００５】
さて、特許文献１の開示ユニットでは、表示パネルの表示画面のうち表示光像を形成する表示領域の外側部分と、外郭パネルの表示背面との間にて、樹脂部材がダム状に介装されている。これによりダム状の樹脂部材は、硬化前の光学接着材が表示画面と表示背面との間から表示パネルの側方スペースへと漏出するのを、抑制可能となっている。
【０００６】
ここで表示パネルの側方スペースには、表示パネルを駆動して表示光像を形成するための駆動回路を、露出して配置する構造が考えられる。また、表示パネルの側方スペースと連通する表示パネルの側方スペースには、表示パネルを透過照明して表示光像を発光させるためのバックライトを、露出して配置する構造が考えられる。こうした想定構造では、硬化前の光学接着材が表示ユニットの側方スペースに漏出するのを抑制することで、当該漏出接着材が駆動回路又はバックライトに付着して作動異常を招くのを回避可能となる。
【０００７】
しかしながら近年、表示前方へ向かって凸面状に湾曲している表示前面と、表示前方へ向かって凹面状に湾曲している表示背面とを有した、湾曲型外郭パネルの使用が求められるようになってきている。そこで、こうした湾曲型外郭パネルを特許文献１の開示ユニットに適用した場合、凹面状の表示背面と樹脂部材との間には隙間が生じ易くなるため、当該隙間を通じて硬化前の光学接着材が表示パネルの側方スペースに漏出することで、作動異常を招くおそれがある。しかも、表示パネルの表示画面において大きく確保することが望ましい表示領域に、その外側部分から樹脂部材が食み出して表示光像の視認性が低下するのを回避すべく、樹脂部材を狭く形成すると、作動異常を招く光学接着材の漏出はさらに生じ易くなってしまう。
【０００８】
本発明は、以上説明した問題に鑑みてなされたものであって、その目的は、作動異常の回避と表示光像の視認性確保とを両立させる表示ユニットの提供にある。
【課題を解決するための手段】
【０００９】
以下、課題を達成するための発明の技術的手段について、説明する。尚、発明の技術的手段を開示する特許請求の範囲及び本欄に記載された括弧内の符号は、後に詳述する実施形態に記載された具体的手段との対応関係を示すものであり、発明の技術的範囲を限定するものではない。
【００１０】
まず、上述の課題を解決するために開示された第一発明は、
平面状の表示画面（２００）に設定されている表示領域（Ａｄ）に表示光像（２）を形成する表示パネル（２０）と、
表示パネルの側方スペース（Ｓｓ）に露出して配置されており、表示パネルを駆動して表示光像を形成するための駆動回路（３０）と、
表示前方へ向かって凸面状に湾曲している表示前面（５００）と、表示前方へ向かって凹面状に湾曲している表示背面（５０１）とを、表示パネルの表示前方に有する透光性の湾曲型外郭パネル（５０）と、
駆動回路を保護するために、表示領域を含む表示画面全域と表示背面との間から、側方スペースと表示背面との間に跨って配置されている透光性の保護体（６０）と、
保護体と表示背面との間に封止されて硬化されている透光性の光学接着材（７０）とを、備える。
【００１１】
このように第一発明によると、表示パネルにおいて表示領域を含む平面状の表示画面全域と、湾曲型外郭パネルにおいて凹面状に湾曲している表示背面との間から、表示パネルの側方スペースと当該表示背面との間に跨って、保護体が配置されている。これによれば、表示画面全域及び側方スペースを広く覆うことになる保護体と表示背面との間に、光学接着材が封止されることから、硬化前の光学接着材が側方スペースには漏出し難くなる。
【００１２】
故に、側方スペースに露出して配置された駆動回路を、光学接着材の付着から保護し得る。しかも、表示画面の表示領域に形成される表示光像は、表示画面全域及び側方スペースを覆う透光性保護体から、当該保護体と表示背面との間の透光性光学接着材を透過することで、視認性を阻害され難くなる。
【００１３】
以上のことから第一発明では、駆動回路への光学接着材の付着による作動異常についての回避を、表示光像の視認性確保と両立させることが可能となる。
【００１４】
次に、上述の課題を解決するために開示された第二発明は、
平面状の表示画面（２００）に設定されている表示領域（Ａｄ）に表示光像（２）を形成する表示パネル（２０）と、
表示パネルの側方スペース（Ｓｓ）と連通する表示パネルの後方スペース（Ｓｂ）に露出して配置されており、表示パネルを透過照明して表示光像を発光させるバックライト（４０）と、
表示前方へ向かって凸面状に湾曲している表示前面（５００）と、表示前方へ向かって凹面状に湾曲している表示背面（５０１）とを、表示パネルの表示前方に有する透光性の湾曲型外郭パネル（５０）と、
バックライトを保護するために、表示領域を含む表示画面全域と表示背面との間から、側方スペースと表示背面との間に跨って配置されている透光性の保護体（６０）と、
保護体と表示背面との間に封止されて硬化されている透光性の光学接着材（７０）とを、備える。
【００１５】
このように第二発明によると、表示パネルにおいて表示領域を含む平面状の表示画面全域と、湾曲型外郭パネルにおいて凹面状に湾曲している表示背面との間から、表示パネルの側方スペースと当該表示背面との間に跨って、保護体が配置されている。これによれば、表示画面全域及び側方スペースを広く覆うことになる保護体と表示背面との間に、光学接着材が封止されることから、硬化前の光学接着材が側方スペースには漏出し難くなる。
【００１６】
故に、側方スペースと連通する表示パネルの後方スペースに露出して配置されたバックライトを、光学接着材の付着から保護し得る。しかも、表示画面の表示領域に形成される表示光像は、表示画面全域及び側方スペースを覆う透光性保護体から、当該保護体及び表示背面間の透光性光学接着材を透過することで、視認性を阻害され難くなる。
【００１７】
以上のことから第二発明では、バックライトへの光学接着材の付着による作動異常についての回避を、表示光像の視認性確保と両立させることが可能となる。
【図面の簡単な説明】
【００１８】
【図１】本発明の一実施形態による表示ユニットを示す断面図である。
【図２】図１のII−II線断面図である。
【図３】図１の表示ユニットの構成要素を分解して示す分解斜視図である。
【図４】図１の表示ユニットの製造方法を示す模式図である。
【図５】図１の表示ユニットの製造方法を示す模式図である。
【発明を実施するための形態】
【００１９】
以下、本発明の一実施形態を図面に基づいて説明する。
【００２０】
図１に示すように、本発明の一実施形態による表示ユニット１は、例えばインストルメントパネル又はセンターコンソール等、車両内のユーザにより視認容易且つ操作容易な箇所に、搭載される。これにより、車載式タッチパネルとして機能する表示ユニット１は、ユーザに提供する情報を表示しつつ、ユーザの手指によるタッチ操作に反応して当該表示の形態を切り替えることが可能となっている。尚、表示ユニット１における上下方向は、水平面上における車両の鉛直方向と実質一致している。
【００２１】
本実施形態の表示ユニット１は、図２に示すように、例えば地図、自車両の現在位置、進行方向、目的地への案内経路及びナビ操作ボタン等といったナビゲーション情報を表示光像２としてユーザに表示しつつ、当該ナビゲーション情報に関連したタッチ操作をユーザから受ける、カーナビゲーション装置に適用される。但し、表示ユニット１は、例えば車両内温度、風量及び空調操作ボタン等といった空調情報を表示光像２として表示しつつ、当該空調情報に関連したタッチ操作をユーザから受ける、エアコンパネルに適用されてもよい。あるいは表示ユニット１は、例えば車両内音量及び音響操作ボタン等といった音響情報を表示光像２として表示しつつ、当該音響情報に関連したタッチ操作をユーザから受ける、音響パネルに適用されてもよい。またあるいは表示ユニット１は、それらパネル以外の各種車載電装品に適用されても、勿論よい。
【００２２】
図１に示すように表示ユニット１は、ハウジング１０、表示パネル２０、駆動回路３０、バックライト４０、湾曲型外郭パネル５０、保護体６０及び光学接着材７０を備えている。
【００２３】
ハウジング１０は、例えば不透明樹脂又は金属等により矩形のカップ状に形成されて、遮光性を与えられている。ハウジング１０の開口部１００は、車両内においてユーザの着座する座席側となる表示前方Ｄｆに、向けられている。
【００２４】
表示パネル２０は、全体として矩形の平板状に形成されている。表示パネル２０は、ハウジング１０内のうち開口部１００の近傍箇所に配置されている。図１〜３に示すように、表示パネル２０の左右及び上下の側方箇所には、駆動回路３０を配置するための側方スペースＳｓが確保されている。表示パネル２０の背後の後方箇所には、バックライト４０を配置するための後方スペースＳｂが確保されている。表示パネル２０は、図１，２の如く表示前方Ｄｆを向く平面状の表示画面２００を、形成している。表示パネル２０は、例えば表示ＥＣＵ等の車載ＥＣＵと接続するために、図１，３の如くハウジング１０の内部から外部へと張り出す可撓性のＦＰＣ基板２１を、有している。
【００２５】
図１に示すように本実施形態の表示パネル２０は、一対の偏光板２２，２３間にフィルタ基板２４及びＴＦＴ基板２５を積層して構成されたカラーＴＦＴ液晶パネルである。ＴＦＴ基板２５は、ＦＰＣ基板２１を介して駆動回路３０と接続されている。ＴＦＴ基板２５は、表示光像２（図２を参照）を形成する複数画素を、有している。ＴＦＴ基板２５の各画素は、車載ＥＣＵから受ける制御指令に従って駆動回路３０により駆動されることで、互いに共同して表示光像２を形成する。フィルタ基板２４は、ＴＦＴ基板２５の有する各画素の表示前方Ｄｆに対応させて、ＲＧＢのうちいずれかの色を透過させる複数のカラーフィルタを、有している。ＴＦＴ基板２５の各画素駆動により形成される表示光像２は、フィルタ基板２４のカラーフィルタを透過することで、カラー表示される。
【００２６】
図１，２に示すようにフィルタ基板２４の外周部には、カラーフィルタの設けられない代わりに、光の透過を遮断する遮光部２４０が設けられている。これにより、矩形の枠状を呈する遮光部２４０に囲まれてカラー表示の表示光像２を形成する矩形の表示領域Ａｄが、表示パネル２０の表示画面２００に設定されている。それと共に表示画面２００には、遮光部２４０により表示光像２を表示させない非表示領域Ａｎが矩形の枠状に設定されている。
【００２７】
駆動回路３０は、表示パネル２０のうちＴＦＴ基板２５の各画素を駆動して表示光像２を形成するための回路部品３１を、複数有している。回路部品３１は、例えばゲートドライバＩＣ３１０、ソースドライバＩＣ３１１、抵抗素子３１２及びコンデンサ３１３等である。ここでゲートドライバＩＣ３１０及びソースドライバＩＣ３１１は、向かって右側及び下側の側方箇所へとＴＦＴ基板２５を延出させてなる延出部２５０に実装されることで、ハウジング１０内のうち表示パネル２０の側方スペースＳｓに露出して配置されている。また一方で抵抗素子３１２及びコンデンサ３１３は、ＴＦＴ基板２５との接続箇所から下側の側方箇所へと延出させたＦＰＣ基板２１に実装されることで、ハウジング１０内のうち表示パネル２０の側方スペースＳｓに露出して配置されている。
【００２８】
図１に示すようにバックライト４０は、全体として矩形の平板状に形成されている。バックライト４０は、ハウジング１０内のうち表示パネル２０の後方スペースＳｂに、配置されている。バックライト４０は、ライトケース４１、光源４２、導光板４３及び光学フィルム４４を有している。
【００２９】
ライトケース４１は、例えば不透明樹脂又は金属等により矩形のカップ状に形成されて、遮光性を与えられている。ライトケース４１の開口部４１０は、表示パネル２０側としての表示前方Ｄｆに向けられている。ライトケース４１の内部は、開口部４１０を通じて表示パネル２０の後方スペースＳｂに露出している。かかるライトケース４１の内部には、バックライト４０の他の構成要素４１，４２，４３，４４が配置されている。
【００３０】
複数の光源４２は、例えば白色光を発するＬＥＤチップ等から構成されている。各光源４２は、ライトケース４１の側壁部４１１に沿って、互いに間隔をあけて配置されている。各光源４２は、専用配線及びＦＰＣ基板２１を介して駆動回路３０に接続されている。これにより各光源４２は、車載ＥＣＵから受ける制御指令に従って駆動回路３０により通電されることで、光を発する。
【００３１】
導光板４３は、例えば透明樹脂等により矩形の平板状に形成されて、透光性を与えられている。導光板４３は、自身の側面４３０を各光源４２と対向させて配置されている。複数の光学フィルム４４は、例えば拡散剤を分散させた透明樹脂等により矩形のシート状に形成されて、光拡散性を与えられている。各光学フィルム４４は、導光板４３の表示前方Ｄｆへ向かって順に並んで配置されている。
【００３２】
以上の如きバックライト４０の構成下、各光源４２から発せられた光は、導光板４３を通じて各光学フィルム４４へと導かれることで、順次拡散される。こうして拡散された光は、表示前方Ｄｆへと放射されることで、表示パネル２０を背後から透過照明する。これにより、表示パネル２０の形成する表示光像２がカラーで発光表示されることとなる。
【００３３】
図１，３に示すように湾曲型外郭パネル５０は、例えば透明ガラス等により湾曲板状に形成されて、透光性を与えられている。湾曲型外郭パネル５０は、開口部１００を外部から覆う状態にて、ハウジング１０に固定されている。湾曲型外郭パネル５０は、表示パネル２０の表示前方Ｄｆに表示前面５００及び表示背面５０１を有している。表示前面５００は、表示前面５００の背後にて上下に所定の曲率を持って湾曲することで、表示前方Ｄｆへと向かって突出した凸面状を呈している。表示背面５０１は、上下に所定の曲率を持って湾曲することで、表示前方Ｄｆへと向かって凹んだ凹面状を呈している。
【００３４】
但し、本実施形態の表示前面５００と表示背面５０１とは、左右ではストレートとなる実質同一の部分円筒面状に形成されることで、湾曲型外郭パネル５０の全域に亘って実質均一の厚さが設定されている。また、図１に示す本実施形態の表示前面５００のうち、表示パネル２０の非表示領域Ａｎ及び側方スペースＳｓを表示前方Ｄｆから覆っている部分は、遮光性の印刷層が積層されて湾曲型外郭パネル５０を加飾する加飾面部５０２として、形成されている。
【００３５】
図１，３に示すように保護体６０は、全体として矩形のシート状に形成されている。保護体６０には、例えば厚さが０.１ｍｍ程度のＰＥＴフィルムと同等以上の剛性が、与えられる。保護体６０は、例えば透明樹脂母材に透明電極を内包又は積層等して構成されることで、透光性を与えられている。保護体６０は、表示パネル２０のうち表示領域Ａｄを含む表示画面２００の全域と湾曲型外郭パネル５０のうち表示背面５０１との間から、表示パネル２０の側方スペースＳｓと同背面５０１との間に跨って、配置されている。これにより保護体６０は、駆動回路３０及びバックライト４０の内部を、光学接着材７０から保護可能となっている。
【００３６】
図１に示す保護体６０において透明電極は、専用配線及びＦＰＣ基板２１を介して駆動回路３０に接続されることで、タッチセンサとして機能する。具体的に透明電極は、表示前方Ｄｆの湾曲型外郭パネル５０のうち表示前面５００に接触したユーザの手指との間に生じる静電容量を、当該ユーザによる表示前面５００へのタッチ操作として感知する。透明電極は、こうして感知した静電容量を、ＦＰＣ基板２１を介して車載ＥＣＵに出力する。これにより車載ＥＣＵは、ユーザによるタッチ操作に反応して表示光像２の表示形態を切り替えるように、駆動回路３０へ与える制御指令を出力する。
【００３７】
図１，３に示す保護体６０において表示パネル２０側の保護背面６００は、表示画面２００の全域に面接触した接触面部６０１と、側方スペースＳｓに露出した露出面部６０２とを、形成している。特に本実施形態の接触面部６０１は、図１の如く遮光部２４０の表示前方Ｄｆに位置する部分を、表示画面２００の非表示領域Ａｎに周方向全域での面接触状態にて固着される固着面部６０１ａとして、表示領域Ａｄを囲む矩形の枠状に確保している。ここで固着面部６０１ａは、例えば両面テープ等により、表示画面２００の非表示領域Ａｎに固着されている。
【００３８】
光学接着材７０は、ＯＣＲとして知られる例えばシリコン系若しくはアクリル系等の光学弾性樹脂をＵＶ硬化、二液硬化又は加熱硬化等することで、透光性を与えられている。光学接着材７０は、保護体６０のうち表示前方Ｄｆを向く保護前面６０３と、湾曲型外郭パネル５０のうち表示背面５０１との間にて、封止された状態で硬化されている。これにより保護前面６０３は、表示領域Ａｄを含む表示画面２００全域の表示前方Ｄｆから側方スペースＳｓの表示前方Ｄｆに跨る矩形の範囲にて、表示背面５０１との間に光学接着材７０を挟む光学面部６０４を、形成している。それと共に保護前面６０３は、側方スペースＳｓの表示前方Ｄｆにて表示背面５０１に周方向全域で接触している外周部を、光学面部６０４の外側に隣接した接触面部６０５として、矩形の枠状に形成している。ここで特に本実施形態の接触面部６０５は、背後の露出面部６０２と共に表示背面５０１に沿って湾曲することで、当該表示背面５０１には面接触している。
【００３９】
ここまで説明した構成の表示ユニット１は、例えば次の方法により製造される。具体的には、まず図４に示すように、湾曲型外郭パネル５０の表示背面５０１のうち後工程にて保護体６０の光学面部６０４と対向させる矩形領域Ａｌ（図４の斜め右上がりハッチング部分）に、硬化前である液状の光学接着材７０を塗布する。
【００４０】
次に図５に示すように、バックライト４０と駆動回路３０（図示は省略）とが組み付けられた表示パネル２０の表示画面２００に固着面部６０１ａにて固着された保護体６０の保護前面６０３を、湾曲型外郭パネル５０上の光学接着材７０及び同パネル５０の表示背面５０１に同時的に押し当ててから、光学接着材７０を硬化させる。このとき光学接着材７０は、保護前面６０３のうち接触面部６０５と表示背面５０１との間の接触界面からは漏出しない限りにて、当該接触界面へと滲み出させてもよい。またこのとき、保護体６０のうち表示画面２００には保持されていない露出面部６０２の形成部分では、撓みを抑制することが望ましい。そこで、露出面部６０２の所定箇所を吸着治具により吸着しながら、保護体６０の保護前面６０３を光学接着材７０及び表示背面５０１に押し当てることで、撓みの抑制が可能となる。
【００４１】
こうして硬化した光学接着材７０により、保護前面６０３のうち光学面部６０４が表示背面５０１にオプティカルボンディングされると、表示パネル２０とバックライト４０と駆動回路３０との一体物を、図１の如くハウジング１０内に収容させる。さらに、例えば螺子留め等によって湾曲型外郭パネル５０をハウジング１０に固定することで、表示ユニット１が完成する。
【００４２】
（作用効果）
以上説明した表示ユニット１による作用効果を、以下に説明する。
【００４３】
表示ユニット１によると、表示パネル２０において表示領域Ａｄを含む平面状の表示画面２００全域と、湾曲型外郭パネル５０において凹面状に湾曲している表示背面５０１との間から、表示パネル２０の側方スペースＳｓと当該表示背面５０１との間に跨って、保護体６０が配置されている。これによれば、表示画面２００全域及び側方スペースＳｓを広く覆うことになる保護体６０と表示背面５０１との間に、光学接着材７０が封止されることから、硬化前の光学接着材７０が側方スペースＳｓには漏出し難くなる。
【００４４】
故に、側方スペースＳｓに露出して配置された駆動回路３０を、光学接着材７０の付着から保護し得る。それと共に、側方スペースＳｓと連通する表示パネル２０の後方スペースＳｂに露出して配置されたバックライト４０を、光学接着材７０の付着から保護し得る。しかも、表示画面２００の表示領域Ａｄに形成される表示光像２は、表示画面２００全域及び側方スペースＳｓを覆う透光性保護体６０から、当該保護体６０と表示背面５０１との間の透光性光学接着材７０を透過することで、視認性を阻害され難くなる。
【００４５】
以上のことから表示ユニット１では、駆動回路３０及びバックライト４０への光学接着材７０の付着による作動異常についての回避を、表示光像２の視認性確保と両立させることが可能となる。
【００４６】
また表示ユニット１によると、保護体６０と表示背面５０１との間の光学接着材７０は、側方スペースＳｓの表示前方Ｄｆにて面接触した保護体６０と表示背面５０１との接触界面から漏出して側方スペースＳｓまで回り込むのを、抑制され得る。これによれば、表示光像２の視認性確保と両立させて、作動異常を確実に回避することが可能となる。
【００４７】
さらに表示ユニット１によると、表示領域Ａｄを含む表示画面２００全域の表示前方Ｄｆから側方スペースＳｓの表示前方Ｄｆに跨る範囲にて光学接着材７０は、保護体６０のうち光学面部６０４と表示背面５０１との間に挟まれている。これにより、保護体６０のうち光学面部６０４の外側に隣接した接触面部６０５と表示背面５０１との接触界面には、表示領域Ａｄに形成された表示光像２の入射が規制され得るので、当該接触界面の空気層により表示光像２の視認性が低下するのを抑制し得る。しかも光学接着材７０は、接触面部６０５及び表示背面５０１の接触界面よりも内側となる光学面部６０４及び表示背面５０１の間からは、当該接触界面を抜ける漏出により側方スペースＳｓまで回り込むのを確実に抑制され得る。これらによれば、表示光像２の視認性確保と作動異常の回避とを確実に両立させることが可能となる。
【００４８】
またさらに表示ユニット１によると、表示前面５００へのタッチ操作を感知するタッチセンサ機能を果たす保護体６０が、光学接着材７０の付着から駆動回路３０及びバックライト４０を保護する機能も果たすこととなる。これによれば、二つの機能を保護体６０に集約させて構造の簡素化を図ることが可能となる。
【００４９】
（他の実施形態）
以上、本発明の一実施形態について説明したが、本発明は、当該実施形態に限定して解釈されるものではなく、本発明の要旨を逸脱しない範囲内において種々の実施形態に適用することができる。
【００５０】
具体的に変形例１としては、例えばカバー部材等により完全に覆われた駆動回路３０を、ハウジング１０内のうち表示パネル２０の側方スペースＳｓ又は他のスペースに、配置してもよい。またあるいは変形例２としては、例えば少なくとも表示パネル２０側に透光性の与えられたライトケース４１により完全に覆われてなるバックライト４０を、ハウジング１０内のうち表示パネル２０の後方スペースＳｂ又は他のスペースに、配置してもよい。さらにあるいは変形例３としては、開口部４１０を表示パネル２０により覆うことで、ライトケース４１の内部を後方スペースＳｂには露出させなくてもよい。
【００５１】
変形例４としては、湾曲型外郭パネル５０の表示前面５００及び表示背面５０１を、上下には湾曲させず、左右に所定の曲率を持って湾曲させてもよい。またあるいは変形例５としては、湾曲型外郭パネル５０の表示前面５００及び表示背面５０１を、上下及び左右のそれぞれに所定の曲率を持って湾曲させてもよい。
【００５２】
変形例６としては、表示領域Ａｄを含む表示画面２００全域の表示前方Ｄｆまでは覆うものの、側方スペースＳｓの表示前方Ｄｆには跨らない範囲にて、光学接着材７０を保護体６０の光学面部６０４と湾曲型外郭パネル５０の表示背面５０１との間に挟んでもよい。またあるいは変形例７としては、表示画面２００のうち表示領域Ａｄの表示前方Ｄｆまでは覆うものの、同画面２００のうち非表示領域Ａｎと側方スペースＳｓとの表示前方Ｄｆには跨らない範囲にて、光学接着材７０を保護体６０の光学面部６０４と湾曲型外郭パネル５０の表示背面５０１との間に挟んでもよい。
【００５３】
変形例８としては、例えばＰＥＴ等の透明樹脂のみから形成されて透明電極が設けられていないことで、タッチセンサとしては機能しない保護体６０を、採用してもよい。また変形例９としては、保護体６０の透明電極を、ＦＰＣ基板２１とは別の経路にて車載ＥＣＵに接続させてもよい。さらにまた変形例１０としては、バックライト４０の各光源４２を、ＦＰＣ基板２１とは別の経路にて車載ＥＣＵに接続させてもよい。
【００５４】
変形例１１としては、例えばカラーＴＦＴ以外の液晶パネル又は有機ＥＬパネル等を、表示パネル２０に採用してもよい。また変形例１２としては、車載以外の表示ユニット１に本発明を適用してもよい。
【符号の説明】
【００５５】
１  表示ユニット、２  表示光像、１０  ハウジング、２０  表示パネル、３０  駆動回路、４０  バックライト、５０  湾曲型外郭パネル、６０  保護体、７０  光学接着材、２００  表示画面、５００  表示前面、５０１  表示背面、６００  保護背面、６０１  接触面部、６０１ａ  固着面部、６０２  露出面部、６０３  保護前面、６０４  光学面部、６０５  接触面部、Ａｄ  表示領域、Ａｌ  矩形領域、Ａｎ  非表示領域、Ｄｆ  表示前方、Ｓｂ  後方スペース、Ｓｓ  側方スペース
【図１】
2018091761.tif 000003
【図２】
2018091761.tif 000004
【図３】
2018091761.tif 000005
【図４】
2018091761.tif 000006
【図５】
2018091761.tif 000007